(57)【要約】【課題】画像の媒体に制限されることなく、正当な利用者にのみ隠し画像を閲覧可能とする。【解決手段】閲覧装置１は、光の透過性を有する透過部１０と、閲覧装置１の利用者を識別するための虹彩の撮像画像を取得する虹彩画像取得部２０と、虹彩画像取得部２０により取得された虹彩の撮像画像に基づいて利用者の認証を行い、認証の結果に基づいて画像に予め含まれている隠し画像の視認の可否を判定し、判定の結果に基づいて透過部１０を通過する光を調整して隠し画像の視認の可否を切り替えるＣＰＵ４１と、を備える。【選択図】図１
2012168346.tif 000002
【特許請求の範囲】
【請求項１】
光の透過性を有する透過部を備え当該透過部越しに画像を閲覧する閲覧装置であって、
当該閲覧装置の利用者を識別するための識別情報を取得する識別情報取得手段と、
前記識別情報取得手段により取得された前記識別情報に基づいて前記利用者の認証を行う認証手段と、
前記認証手段による認証の結果に基づいて前記画像に予め含まれている隠し画像の視認の可否を判定する判定手段と、
前記判定手段による判定の結果に基づいて前記透過部を通過する光を調整して前記隠し画像の視認の可否を切り替える調整手段と、を備えることを特徴とする閲覧装置。
【請求項２】
前記調整手段は、前記利用者と前記画像との間で前記透過部を通過する光の角度を調整して前記隠し画像の視認の可否を切り替えることを特徴とする請求項１に記載の閲覧装置。
【請求項３】
前記利用者と前記調整手段により調整される光の角度とを対応付ける対応付け情報を取得する対応付け情報取得手段をさらに備え、
前記調整手段は、前記対応付け情報取得手段により取得された前記対応付け情報に基づいて前記利用者と前記画像との間で前記透過部を通過する光の角度を調整することを特徴とする請求項２に記載の閲覧装置。
【請求項４】
前記隠し画像の視認を予め許可されている者を示す利用者情報を取得する利用者情報取得手段をさらに備え、
前記認証手段は、前記利用者情報取得手段により取得された前記利用者情報と前記識別情報取得手段により取得された前記識別情報とに基づいて、前記識別情報に基づいて特定された利用者が前記隠し画像の視認を予め許可されている者である場合に当該利用者を認証することを特徴とする請求項１から３のいずれか一項に記載の閲覧装置。
【請求項５】
前記利用者情報は、バーコードに含まれる情報であり、
前記利用者情報取得手段は、前記バーコードを読み取る読取手段を備えることを特徴とする請求項４に記載の閲覧装置。
【請求項６】
前記利用者情報は、その一部又は全部が暗号化されていることを特徴とする請求項４又は５に記載の閲覧装置。
【請求項７】
前記隠し画像の視認を予め許可されている者の眼の虹彩の画像を記憶する記憶手段をさらに備え、
前記識別情報取得手段は、前記利用者の眼の虹彩を撮像した撮像画像を取得する撮像手段を備え、前記撮像手段により撮像された前記撮像画像を前記利用者を識別するための識別情報として取得し、
前記認証手段は、前記撮像画像と前記記憶手段に記憶された虹彩の画像とに基づいて前記利用者の認証を行うことを特徴とする請求項１から６のいずれか一項に記載の閲覧装置。
【請求項８】
前記透過部を前記利用者の眼前で保持する保持手段をさらに備えることを特徴とする請求項１から７のいずれか一項に記載の閲覧装置。
【請求項９】
前記保持手段は、メガネフレームであることを特徴とする請求項８に記載の閲覧装置。
【発明の詳細な説明】
【技術分野】
【０００１】
本発明は、閲覧装置に関する。
【背景技術】
【０００２】
画像の閲覧において、画像から利用者の眼に届く光の調整（例えば偏光等）を行うことにより画像内に予め設けられた隠し画像を浮かび上がらせて視認可能とする方法が知られている。さらに、この方法を応用し、専用の画像表示装置と偏光レンズとを組み合わせた場合にのみ、当該画像表示装置に表示された画像に含まれる隠し画像を視認可能とすることで、偏光レンズを有する利用者のみに隠し画像を閲覧させる表示システムがある（例えば特許文献１）。
【先行技術文献】
【特許文献】
【０００３】
【特許文献１】特開２００９−１６９１４８号公報
【発明の概要】
【発明が解決しようとする課題】
【０００４】
しかしながら、従来の表示システムは、隠し画像を閲覧させる利用者の制限としては不十分であった。なぜならば、何らかの方法により偏光レンズを入手することにより、隠し画像の視認を許可されていない不正な利用者であっても隠し画像を閲覧することができてしまうからである。
【０００５】
また、従来の表示システムでは、隠し画像を含む画像の表示を専用の画像表示装置により行わなければならない。このため、紙に印刷された画像等、専用の画像表示装置によらない他の媒体の画像に含まれる隠し画像については全く取り扱うことができなかった。
【０００６】
本発明の課題は、画像の媒体に制限されることなく、正当な利用者にのみ隠し画像を閲覧可能とすることである。
【課題を解決するための手段】
【０００７】
上記課題を解決するため、本発明の閲覧装置は、光の透過性を有する透過部を備え当該透過部越しに画像を閲覧する閲覧装置であって、当該閲覧装置の利用者を識別するための識別情報を取得する識別情報取得手段と、前記識別情報取得手段により取得された前記識別情報に基づいて前記利用者の認証を行う認証手段と、前記認証手段による認証の結果に基づいて前記画像に予め含まれている隠し画像の視認の可否を判定する判定手段と、前記判定手段による判定の結果に基づいて前記透過部を通過する光を調整して前記隠し画像の視認の可否を切り替える調整手段と、を備えることを特徴とする。
【発明の効果】
【０００８】
本発明によれば、画像の媒体に制限されることなく、正当な利用者にのみ隠し画像を閲覧可能とすることができる。
【図面の簡単な説明】
【０００９】
【図１】本発明の一実施形態による閲覧装置の主要構成を示すブロック図である。
【図２】本発明の一実施形態による閲覧装置を示す斜視図である。
【図３】本発明の一実施形態による閲覧装置を図２とは異なる角度から示す斜視図である。
【図４】透過部の詳細構成の一例を示す図である。
【図５】透過部を通過する光の調整前後の視認画像の一例を示す図である。図５（Ａ）は、ＣＰＵにより透過部を通過する光の調整が行われる前の媒体上の画像の視認状態の一例を示す図である。図５（Ｂ）は、図５（Ａ）に示す画像について、ＣＰＵにより透過部を通過する光の調整が行われた後の視認状態の一例を示す図である。
【図６】認証処理の流れの一例を示すフローチャートである。
【図７】レンチキュラーレンズとシャッター等の遮蔽部材とを併用した透過部の一例を示す図である。
【図８】図７に示す透過部におけるシャッターの位置パターンの一例を示す図である。図８（Ａ）は平板部を光の経路とした場合を示す図である。図８（Ｂ）は、レンチキュラーレンズ部のかまぼこ形状を二分した一方を光の経路とした場合を示す図である。図８（Ｃ）は、レンチキュラーレンズ部のかまぼこ形状を二分した他方を光の経路とした場合を示す図である。
【図９】図８（Ａ）〜（Ｃ）に示すシャッターの位置パターンに応じた視認画像の一例を示す図である。図９（Ａ）は、図８（Ａ）に示す光の経路を取る場合に視認可能な画像の一例を示す図である。図９（Ｂ）は、図８（Ｂ）に示す光の経路を取る場合に視認可能な画像の一例を示す図である。図９（Ｃ）は、図８（Ｃ）に示す光の経路を取る場合に視認可能な画像の一例を示す図である。
【発明を実施するための形態】
【００１０】
以下に、本発明について、図面を用いて具体的な態様を説明する。ただし、発明の範囲は、図示例に限定されない。
【００１１】
本実施形態の閲覧装置１は、光の透過性を有する透過部１０を有し、透過部１０越しに画像を閲覧する閲覧装置である。
図１は、本発明の一実施形態による閲覧装置１の主要構成を示すブロック図である。
図２、図３は、本発明の一実施形態による閲覧装置１を示す斜視図である。
図１に示すように、閲覧装置１は、透過部１０、虹彩画像取得部２０、バーコード読取部３０、制御部４０を備え、これらの構成はバス２により接続される。
また、図２、図３に示すように、閲覧装置１の各部は、フレーム５０により保持される。フレーム５０は、二つの透過部１０、１０をメガネのレンズとするメガネフレームの形状を有する。制御部４０及びバス２は、フレーム５０の内部に設けられる。
【００１２】
フレーム５０の耳かけ部５１、５１を自身の両耳にかけて閲覧装置１を装着することにより、二つの透過部１０、１０は利用者の両眼の眼前で保持される。これによって、利用者は、二つの透過部１０、１０を介して眼前の外界を視認することができ、例えば用紙に形成された画像等、媒体上の画像を視認することができる。
ここで、フレーム５０は、透過部１０を利用者の眼前で保持する保持手段として機能する。
以下、フレーム５０により保持された透過部１０を基準として、耳かけ部５１、５１が延設されている側を閲覧装置１の内側、その逆側を閲覧装置１の外側とする。
【００１３】
なお、「画像」とは紙に印刷された印刷画像に限らず、文字、写真、線分、幾何学模様、その他のあらゆる画像及びこれらの一部又は全部の組み合わせを含みうる。
【００１４】
図４は、透過部１０の詳細構成の一例を示す図である。
透過部１０は、透過性を有する板状の部材である透過板１１と、透過部１０を通過する光を調整するシャッター１２を有する。図４に示すように、シャッター１２は、透過板１１に対してその位置を変更可能に設けられた格子状の部材である。本実施形態のシャッター１２は、利用者の眼と外界との間で透過部１０を通過する光Ｌの経路上において二つ設けられ、当該二つのシャッター１２の位置により透過部１０を通過する光Ｌの量、光Ｌの角度又はその両方を調節する。シャッター１２の位置は、制御部４０により調整される。
【００１５】
虹彩画像取得部２０は、閲覧装置１の利用者を識別するための識別情報として、利用者の虹彩を撮像した撮像画像を取得する。
本実施形態の虹彩画像取得部２０は、ＣＭＯＳイメージセンサ（ＣＭＯＳ：Complementary Metal Oxide Semiconductor）等の撮像素子を有し、当該撮像素子により利用者の虹彩を撮像する。図２に示すように、虹彩画像取得部２０は、撮像素子が閲覧装置１を装着した利用者の眼の方を向くよう、閲覧装置１の内側に設けられる。
ここで、虹彩画像取得部２０は、利用者の眼の虹彩を撮像した撮像画像を取得する撮像手段として機能する。
【００１６】
バーコード読取部３０は、媒体（例えば用紙等）に形成されているバーコードＢを読み取り、情報を取得する。
本実施形態のバーコード読取部３０は、ＣＭＯＳイメージセンサ等の撮像素子を有し、当該撮像素子によりＱＲコード（登録商標）等の二次元バーコードを撮像して読み取る。図３に示すように、バーコード読取部３０は、閲覧装置１の外側に向けて設けられる。
ここで、バーコード読取部３０は、バーコードを読み取る読取手段として機能する。
【００１７】
制御部４０は、閲覧装置１の各部の動作制御を行う。また、制御部４０は、各種の処理を行う。
制御部４０は、ＣＰＵ４１、ＲＡＭ４２、ＲＯＭ４３を備える。
ＣＰＵ４１は、ＲＯＭ４３に記憶されたプログラムと協働し、ＲＡＭ４２に展開されたプログラムやデータ等に従って閲覧装置１の動作制御や各種の処理を行う。
ＲＡＭ４２は、ＣＰＵ４１の処理によって展開されたデータや、当該処理によって一時的に生じたデータ等を格納する。
【００１８】
ＲＯＭ４３は、ＣＰＵ４１によって読み出されるプログラムやデータ等を記憶する。また、ＲＯＭ４３は、予め撮像された、閲覧装置１の利用者の虹彩の画像データを記憶する。ＲＯＭ４３に虹彩の画像データが記憶されている利用者は、隠し画像の視認を予め許可されている利用者である。ＲＯＭ４３は、複数の利用者の虹彩の画像データを記憶することができる。
ここで、ＲＯＭ４３は、隠し画像の視認を予め許可されている者の眼の虹彩の画像を記憶する記憶手段として機能する。
【００１９】
この他、図１では図示を省略しているが、閲覧装置１は、各部の動作のための電力を供給する電源部や、閲覧装置１の動作のＯＮ／ＯＦＦを切り替えるための電源スイッチ、閲覧装置１の利用者及び当該利用者による隠し画像の視認の開始／終了を指示するための認証スイッチ等を備えている。
【００２０】
以下、ＣＰＵ４１の行う処理のうち、隠し画像の視認に係る認証処理（以下、単に認証処理と記載）について説明する。当該記載では、利用者が閲覧装置１を装着した状態で認証スイッチを操作したものとして説明する。
【００２１】
認証処理の開始後、ＣＰＵ４１は、まず、虹彩画像取得部２０を動作させ、利用者の虹彩の撮像画像を取得する。
次に、ＣＰＵ４１は、虹彩認識処理を行う。具体的には、ＣＰＵ４１は、ＲＯＭ４３に記憶された虹彩の画像データを読み出して、当該画像データが虹彩画像取得部２０により取得された利用者の虹彩の撮像画像と一致又は近似するか否か判定する。画像データと撮像画像との一致／近似判定は、既知の画像近似判定処理によるので、その詳細を省略する。
ここで、虹彩画像取得部２０は、閲覧装置の利用者を識別するための識別情報を取得する識別情報取得手段として機能する。
また、ＣＰＵ４１は、識別情報に基づいて利用者の認証を行う認証手段として機能する。
【００２２】
虹彩認識処理の結果、ＲＯＭ４３に記憶された虹彩の画像データのいずれも虹彩画像取得部２０により撮像された虹彩の撮像画像と一致も近似もしない場合（虹彩認識不成立）、ＣＰＵ４１は認証不成立として処理を終了する。即ち、ＣＰＵ４１は、現在の利用者が隠し画像の視認を許可された利用者ではないと判定する。
【００２３】
一方、虹彩認識処理の結果、ＲＡＭ４３に記憶された虹彩の画像データのいずれかが虹彩画像取得部２０により撮像された虹彩の撮像画像と一致又は近似する場合（虹彩認識成立）、ＣＰＵ４１はバーコード読取部３０を動作させ、媒体に形成されているバーコードＢから情報を取得する。
【００２４】
バーコードＢには利用者情報及び調整パラメータが含まれており、ＣＰＵ４１は、バーコード読取部３０を介して利用者情報及び調整パラメータを取得する。
【００２５】
利用者情報とは、バーコードＢを形成された媒体に形成されている隠し画像の視認を予め許可されている利用者を示す情報である。利用者情報が示す利用者の数は、一でも複数でもよい。
ここで、バーコード読取部３０は、隠し画像の視認を予め許可されている者を示す利用者情報を取得する利用者情報取得手段として機能する。
【００２６】
なお、利用者情報は、ＲＯＭ４３に記憶された虹彩の画像データに対応する利用者と対照可能な情報として設けられている。例えば、ＲＯＭ４３に記憶された虹彩の画像データが複数の利用者（第１の利用者、第２の利用者）に対応する場合において、利用者情報は、複数の利用者のいずれか一又は複数あるいは全員にその媒体の隠し画像が閲覧可能であるか否かを示す。利用者情報に第１の利用者、第２の利用者又はその両方を示す情報が含まれれば、第１の利用者、第２の利用者又はその両方はその媒体の隠し画像を閲覧できることとなる。一方、利用者情報が第１の利用者、第２の利用者のいずれの情報も含まない場合、その媒体の隠し画像は第１の利用者、第２の利用者とも閲覧できない。
【００２７】
調整パラメータとは、当該隠し画像を視認可能とするために行われる透過部１０の光の調整において用いられるパラメータである。本実施形態の調整パラメータは、シャッター１２の位置調整に係る情報を含み、制御部４０のＣＰＵ４１は調整パラメータに基づいてシャッター１２を動作させる。
また、調整パラメータは、利用者情報により隠し画像の視認を予め許可されている利用者と、シャッター１２の位置調整に係る情報とを対応付ける。ここで、調整パラメータは、利用者と調整手段により調整される光の角度とを対応付ける対応付け情報として機能する。
【００２８】
また、本実施形態の利用者情報及び調整パラメータは暗号化された状態でバーコードＢに含まれる情報として存在する。ＣＰＵ４１は、暗号化された利用者情報及び調整パラメータを復号して利用者情報及び調整パラメータを取得する。
本実施形態では、利用者情報及び調整パラメータの全部が暗号化されているが、暗号化は、各データの一部分でもよい。例えば、ヘッダ情報を平文とし、実データ部分を暗号化するようにしてもよい。
【００２９】
利用者情報及び調整パラメータの取得後、ＣＰＵ４１は、虹彩認識処理により認証された虹彩の画像データが示す利用者が、利用者情報に含まれているか否か判定する照合処理を行う。照合処理の結果、虹彩認識処理により認証された虹彩の画像データが示す利用者が、利用者情報に含まれていないと判定された場合（照合不成立）、ＣＰＵ４１は認証不成立として処理を終了する。認証不成立の場合、隠し画像を視認可能とするための処理である、透過部１０を通過する光Ｌの調節は行われない。
【００３０】
一方、照合処理において虹彩認識処理により認証された虹彩の画像データが示す利用者が、利用者情報に含まれていると判定された場合（照合成立）、ＣＰＵ４１は、利用者の虹彩の撮像画像、ＲＯＭ４３の画像データ及びバーコードＢの利用者情報に基づく利用者の認証が成立したものと判定する（認証成立）。認証成立の場合、ＣＰＵ４１は、バーコードＢから取得した調整パラメータに基づいて透過部１０を通過する光Ｌの調節を行う。
【００３１】
図５（Ａ）、（Ｂ）に、透過部１０を通過する光Ｌの調整前後の視認画像の一例を示す。図５（Ａ）は、ＣＰＵ４１により透過部１０を通過する光Ｌの調整が行われる前の媒体上の画像の視認状態の一例を示し、図５（Ｂ）は、図５（Ａ）に示す画像について、ＣＰＵ４１により透過部１０を通過する光Ｌの調整が行われた後の視認状態の一例を示す。
図５（Ａ）に示すように、ＣＰＵ４１により透過部１０を通過する光Ｌの調整が行われる前は、媒体上において図５（Ｂ）に示す隠し画像Ｈを視認することはできない。一方、ＣＰＵ４１により透過部１０を通過する光Ｌの調整が行われると、図５（Ｂ）に示すように、図５（Ａ）に示す画像に予め形成されていた隠し画像Ｈを視認することができるようになる。
ＣＰＵ４１は、照合処理の結果が照合成立であった場合、バーコードＢから取得した調整パラメータに基づいてシャッター１２を動作させて透過部１０を通過する光Ｌの調節を行うことにより、図５（Ａ）、（Ｂ）に示す例のように、バーコードＢが形成された媒体上の画像に含まれる隠し画像Ｈを視認可能とする。これにより、閲覧装置１の利用者は、隠し画像を閲覧することができる。
このように、ＣＰＵ４１は、認証手段による認証の結果に基づいて画像に予め含まれている隠し画像の視認の可否を判定する判定手段として機能する。
また、ＣＰＵ４１は、判定手段による判定の結果に基づいて透過部を通過する光を調整して隠し画像の視認の可否を切り替える調整手段として機能する。
【００３２】
ユーザは、認証処理の途中又は隠し画像の視認後に所定の終了処理を行うことで認証処理を終了することができる。所定の終了処理とは、例えば電源ＯＦＦや、認証スイッチによる隠し画像の視認の終了指示等である。
【００３３】
以下、図６のフローチャートを用いて、認証処理の流れを説明する。
ＣＰＵ４１は、まず、虹彩画像取得部２０を動作させ、利用者の虹彩の撮像画像を取得する（ステップＳ１）。次に、ＣＰＵ４１は、虹彩認識処理を行い（ステップＳ２）、虹彩認識成立となったか否か判定する（ステップＳ３）。
【００３４】
虹彩認識成立の場合（ステップＳ３：ＹＥＳ）、ＣＰＵ４１は、バーコード読取部３０を動作させて媒体に形成されているバーコードＢから利用者情報及び調整パラメータを取得、復号する（ステップＳ４）。そして、ＣＰＵ４１は、虹彩認識処理により認証された虹彩の画像データが示す利用者が利用者情報に含まれているか否か即ち照合成立であるか否か判定する（ステップＳ５）。
【００３５】
照合成立の場合（ステップＳ５：ＹＥＳ）、ＣＰＵ４１は、認証成立したものとして、バーコードＢから取得した調整パラメータに基づいて透過部１０を通過する光Ｌの調節を行う（ステップＳ６）。一方、ステップＳ３において虹彩認識不成立の場合（ステップＳ３：ＮＯ）又はステップＳ５において照合不成立の場合（ステップＳ５：ＮＯ）、ＣＰＵ４１は認証不成立として（ステップＳ７）、処理を終了する。
ステップＳ６の処理後又は認証処理の途中で所定の終了処理が行われた場合、認証処理は終了する。
【００３６】
以上のように、本実施形態の閲覧装置１によれば、ＣＰＵ４１が、虹彩認識処理の結果を含めて認証成立と判定した場合に、シャッター１２を動作させて透過部１０を通過する光Ｌの調整を行い、媒体上の画像に予め設けられていた隠し画像Ｈを視認することができるようにする。
これによって、認証成立となる正当な利用者のみに隠し画像Ｈを閲覧させることができる。加えて、閲覧装置１の透過部１０を通過する光の調整の有無により隠し画像Ｈの視認可否が決定するので、隠し画像Ｈを含む画像の媒体を問わない。このように、本実施形態の閲覧装置１は、画像の媒体に制限されることなく、正当な利用者にのみ隠し画像Ｈを閲覧可能とすることができる。
【００３７】
さらに、閲覧装置１はバーコード読取部３０を有し、調整パラメータをバーコードＢから取得するので、媒体上の画像に予め設けられている隠し画像と、当該隠し画像のための光の調整に係る情報とを媒体上の情報により対応付けることができる。
【００３８】
さらに、認証処理において、閲覧装置１は利用者情報をバーコードＢから取得する。そして、ＣＰＵ４１が虹彩認識成立と判定した利用者が利用者情報に含まれるか否かを判定する。これによって、媒体上の画像に予め設けられている隠し画像と、当該隠し画像の視認を許可された利用者とを媒体上の情報により対応付けることができる。
【００３９】
さらに、調整パラメータ、利用者情報はバーコードＢに含まれる情報である。これによって、調整パラメータ、利用者情報を媒体上に容易に記録することができ、閲覧装置１は既存のバーコード読取技術により調整パラメータ、利用者情報を媒体上から容易に取得することができる。
【００４０】
さらに、調整パラメータ、利用者情報が暗号化されているので、媒体上からの調整パラメータ、利用者情報の容易な取得と、これらの情報の不正利用の防止とを両立することができる。
【００４１】
さらに、閲覧装置１は、虹彩認識処理を行い、その結果に基づいて利用者の認証を行うので、利用者の生体情報に基づいた極めて正確な利用者の認証を行うことができる。
【００４２】
さらに、メガネフレームの形状を有するフレーム５０、５０により透過部１０を利用者の眼前で保持するので、透過部１０と利用者の眼との距離を一定に保つことができ、ＣＰＵ４１による透過部１０の光の調整結果に応じた隠し画像の視認可否をより正確に反映することができる。
【００４３】
なお、本発明は、上記の各実施形態に限定されることなく、本発明の趣旨を逸脱しない範囲において、種々の改良並びに設計の変更を行っても良い。
【００４４】
例えば、透過部は、光の調整を行うことが可能な構成であれば他の形態を取っても良い。
他の形態の透過部の一例として、液晶を用いた透過性を有するフィルター構造を用いる方法が挙げられる。この場合、フィルター内に収められた液晶や、液晶シャッター等、液晶を用いたフィルターにおいて光の透過性を変化させる構成の動作をＣＰＵ４１により制御することにより透過部を通過する光の量や角度を調整する。これによって、より多彩な光の調整パターンを実現することができる。
【００４５】
他の形態の透過部の別の一例として、レンチキュラーレンズとシャッター等の遮蔽部材とを併用する方法が挙げられる。
【００４６】
図７に、レンチキュラーレンズとシャッター等の遮蔽部材とを併用した透過部１０Ａの一例を示す。
図７に示す透過部１０Ａは、複数のレンチキュラーレンズ部１３を有するレンズ部１１Ａと、レンズ部１１Ａを通過する光Ｌの経路を限定するシャッター１２Ａとを有する。
【００４７】
レンズ部１１Ａは、所定の角度で光を屈折させる複数のレンチキュラーレンズ部１３と、当該レンチキュラーレンズ部１３の間に設けられてその面部に対して直交する光を屈折させない平板部１４とを有する。レンチキュラーレンズ部１３は、図７に示すように、その断面がかまぼこ形状の凸レンズであり、当該かまぼこ形状を二分した幅が、一箇所の平板部１４の幅と同一である。
シャッター１２Ａは、レンズ部１１Ａに対してその位置を変化させるスリット形状の遮蔽部材であり、一つのスリットの幅は一箇所の平板部１４の幅の２倍即ち一のレンチキュラーレンズ部１３のかまぼこ形状の幅と同一である。
【００４８】
ＣＰＵ４１は、シャッター１２Ａの位置を変化させることにより透過部１０Ａを通過する光Ｌの経路を変化させる。具体的には、ＣＰＵ４１は、透過部１０Ａを通過する光Ｌの経路を、平板部１４、レンチキュラーレンズ部１３のかまぼこ形状を二分した一方又は他方のいずれかとする。これによって、図８（Ａ）〜（Ｃ）に示すように、透過部１０Ａを通過する光Ｌの角度を変化させる。
例えば、正当な第１の利用者にレンチキュラーレンズ部１３のかまぼこ形状を二分した一方の光Ｌの角度を割り当て、第１の利用者とは異なる正当な第２の利用者にレンチキュラーレンズ部１３のかまぼこ形状を二分した他方の光Ｌの角度を割り当て、さらに認証処理が未完了の間又は認証不成立の場合に光Ｌの経路を平板部１４とすることにより、図９（Ａ）〜（Ｃ）に示すように、複数の利用者に対して個別に視認可能な隠し画像Ｈ１、Ｈ２を設定することができる。
【００４９】
図８（Ａ）〜（Ｃ）及び図９（Ａ）〜（Ｃ）に示す例の場合、複数の利用者の各々について用いる光Ｌの角度に応じた調整パラメータをバーコードＢに含ませることにより、複数の利用者に応じた調整パラメータの取得を容易に行うことができる。
【００５０】
また、上記の第１の利用者、第２の利用者等の複数の利用者を利用権限グループとして用い、各利用権限グループに複数の利用者を設定することにより、閲覧装置１をさらに多くの利用者で共用することができる。第１の利用者、第２の利用者に限らず、三以上の利用者又は利用権限グループを設定してもよい。
【００５１】
また、利用者情報及び調整パラメータの取得は、二次元バーコードを用いるものに限定されない。例えば、一次元バーコードでもよいし、その他の埋め込み情報によってもよい。また、バーコードＢを含む埋め込み情報は、隠し画像の設けられた画像を形成された媒体上に限定されず、画像と別個に設けられてもよい。
また、バーコードＢ及びバーコード読取部３０は省略することができる。その場合、利用者情報に基づく照合処理を省略する。また、調整パラメータは予めＲＯＭ４３等に記憶させておくこととなる。
【００５２】
また、利用者の認証は、虹彩の撮像画像以外によってもよい。例えば網膜の撮像画像に基づく認証や指紋認証、その他の生体認証や、生体情報によらない認証方法も適用することができる。
また、光の調整は透過部を通過する光の角度に限らない。例えば、特定の色（スペクトル）の光を通すフィルターの位置、角度や、当該フィルターの複数の組み合わせによる透過色の変化により隠し画像の視認可否を切り替えるようにしてもよい。
【００５３】
また、上述の実施形態における閲覧装置１はメガネの形状を有しているが、これに限らない。他の形態として、例えば虫眼鏡のように手その他の保持機構で支持する形態や、紙等の媒体に載置可能なシートやバインダーの形態等が挙げられ、この他の形態を取ってもよい。
【００５４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
光の透過性を有する透過部を備え当該透過部越しに画像を閲覧する閲覧装置であって、
当該閲覧装置の利用者を識別するための識別情報を取得する識別情報取得手段と、
前記識別情報取得手段により取得された前記識別情報に基づいて前記利用者の認証を行う認証手段と、
前記認証手段による認証の結果に基づいて前記画像に予め含まれている隠し画像の視認の可否を判定する判定手段と、
前記判定手段による判定の結果に基づいて前記透過部を通過する光を調整して前記隠し画像の視認の可否を切り替える調整手段と、を備えることを特徴とする閲覧装置。
＜請求項２＞
前記調整手段は、前記利用者と前記画像との間で前記透過部を通過する光の角度を調整して前記隠し画像の視認の可否を切り替えることを特徴とする請求項１に記載の閲覧装置。
＜請求項３＞
前記利用者と前記調整手段により調整される光の角度とを対応付ける対応付け情報を取得する対応付け情報取得手段をさらに備え、
前記調整手段は、前記対応付け情報取得手段により取得された前記対応付け情報に基づいて前記利用者と前記画像との間で前記透過部を通過する光の角度を調整することを特徴とする請求項２に記載の閲覧装置。
＜請求項４＞
前記隠し画像の視認を予め許可されている者を示す利用者情報を取得する利用者情報取得手段をさらに備え、
前記認証手段は、前記利用者情報取得手段により取得された前記利用者情報と前記識別情報取得手段により取得された前記識別情報とに基づいて、前記識別情報に基づいて特定された利用者が前記隠し画像の視認を予め許可されている者である場合に当該利用者を認証することを特徴とする請求項１から３のいずれか一項に記載の閲覧装置。
＜請求項５＞
前記利用者情報は、バーコードに含まれる情報であり、
前記利用者情報取得手段は、前記バーコードを読み取る読取手段を備えることを特徴とする請求項４に記載の閲覧装置。
＜請求項６＞
前記利用者情報は、その一部又は全部が暗号化されていることを特徴とする請求項４又は５に記載の閲覧装置。
＜請求項７＞
前記隠し画像の視認を予め許可されている者の眼の虹彩の画像を記憶する記憶手段をさらに備え、
前記識別情報取得手段は、前記利用者の眼の虹彩を撮像した撮像画像を取得する撮像手段を備え、前記撮像手段により撮像された前記撮像画像を前記利用者を識別するための識別情報として取得し、
前記認証手段は、前記撮像画像と前記記憶手段に記憶された虹彩の画像とに基づいて前記利用者の認証を行うことを特徴とする請求項１から６のいずれか一項に記載の閲覧装置。
＜請求項８＞
前記透過部を前記利用者の眼前で保持する保持手段をさらに備えることを特徴とする請求項１から７のいずれか一項に記載の閲覧装置。
＜請求項９＞
前記保持手段は、メガネフレームであることを特徴とする請求項８に記載の閲覧装置。
【符号の説明】
【００５５】
１    閲覧装置
１０  透過部
１１  透過板
１２  シャッター
２０  虹彩画像取得部
３０  バーコード読取部
４０  制御部
５０  フレーム
Ｂ    バーコード
Ｈ    隠し画像
【図１】
2012168346.tif 000003
【図２】
2012168346.tif 000004
【図３】
2012168346.tif 000005
【図４】
2012168346.tif 000006
【図６】
2012168346.tif 000007
【図７】
2012168346.tif 000008
【図８】
2012168346.tif 000009
【図５】
2012168346.tif 000010
【図９】
2012168346.tif 000011